(57)【要約】【課題】  ポートレートをはじめとする人物写真を撮影する際に、撮影時の照明状態に応じてストロボ等のライティング条件を適宜変更設定して、いつでも適正な露光条件下での撮影が可能になり、良好な仕上がりの人物写真を安定して提供する。【解決手段】  人物撮影時に被写体への照明を行う照明手段の光量を制御する制御手段を有する撮影システムで、該制御手段は検知手段により検知した撮影直前の撮影環境の情報を用いて照明手段の発光量を制御し適正露光量での撮影を可能にする。【選択図】        図２
2005301096.tif 000002
【特許請求の範囲】
【請求項１】
カメラマンにより被写体である人物を撮影する撮影手段と、
該撮影手段により撮影を行う際に該被写体に照明を行う照明手段と、
撮影時における該照明手段の光量を制御する制御手段と、
撮影直前時における撮影環境を検知する検知手段と、を有し、
該制御手段は、前記検知手段が検知した撮影環境の情報に基づいて前記照明手段の光量を制御することを特徴とする撮影システム。
【請求項２】
前記検知手段は、前記撮影手段の作動に同期して前記撮影直前時における撮影環境の検知を行うものであることを特徴とする請求項１に記載の撮影システム。
【請求項３】
カメラマンにより被写体である人物の写真撮影が行われるものであり、請求項１または２に記載の撮影システムを有してなることを特徴とする写真撮影スタジオ。
【請求項４】
請求項１または２に記載の撮影システムにより作成されることを特徴とする人物写真。
【発明の詳細な説明】
【技術分野】
【０００１】
本発明は、スタジオを用いてカメラマンなどの高度な撮影技術を有する者が撮影を行って、ポートレートをはじめとする人物写真を作成する撮影システムに関するもので、特に、撮影が実施される時の状況に応じてストロボの露光条件の設定を適宜変更することが可能な撮影システムに関する。
【背景技術】
【０００２】
写真スタジオや写真館でカメラマンを使って行う写真撮影は、生き生きとした表情の美しい仕上がりのポートレート写真を得る方法として、一般のユーザの間でも人気のある撮影方法の１つである。そして、撮影時のストロボ発光をはじめとするライティング条件は、高品質の写真画像を得る上でとても重要な要素となるもので、被写体に対して最適なライティング条件を設定して撮影を行う技術がこれまでも種々検討されてきた。
【０００３】
例えば、被写体とストロボなどの照明手段の位置関係に着目して、写真スタジオの空間を３次元座標で規定し、被写体やライトの位置をその３次元座標に基づいて設定する技術が開示されている。（例えば特許文献１参照。）
また、スタジオでのストロボ撮影におけるライティングを容易にするために、撮影時のライティング条件をデジタルカメラ等の撮影手段で撮影した画像データとともに記憶装置に記憶しておき、写真撮影を行う時に記憶装置に記録しておいたストロボ条件を活用して最適なライティング設定を行う技術も開示されている。（例えば、特許文献２参照。）
この様に、撮影時のライティングを適度な条件に設定して高品質の写真画像を得る技術が開示されているが、被撮影者の表情を忠実に再現させた美しい仕上がりのポートレート写真を安定して作成するにはこれらの技術だけで十分に達成できるものではなかった。
【０００４】
例えば、上記特許文献１に開示された技術は、カタログ等に掲載する商品写真を撮影するためのライティング条件に関するもので、物品をきれいに撮るための照明が人物写真の撮影におけるライティング条件に適用できるものではない。すなわち、人物の撮影では被写体の動きや表情の変化も考慮に入れて照明条件を設定する必要があり、静止物を撮影する時の照明技術を適用して生き生きとした表情の人物写真を撮影することは難しい
。したがって、人物写真を撮影する際のライティングに関する記載のない特許文献１は、人物写真の撮影時に行うライティング技術を何１つ示唆するものではない。
【０００５】
また、上記特許文献２の様に、過去に得られたライティング条件を活用しても、納得のいく仕上がりの写真が得られるとは考えにくいものである。例えば、被撮影者の服装や肌、頭髪の色が見本となる写真と微妙に違っていれば、ライティング条件を微妙に変化させなくては目標の仕上がりの写真は得られない。また、撮影に使用されるストロボも使用回数等の条件により色温度が変化して発光状態が微妙に変わっていることが多い。したがって、過去の撮影時に得られたライティング条件は、条件設定のための参考程度にはなるがそのまま利用して正確なストロボ発光を再現できるものではないと考えられる。
【０００６】
また、写真館やスタジオを使った本格的な写真撮影には、七五三や卒業式シーズンの様に特定時期にお客さんが集中することがある。この様な状況では、お客さんをなるべく待たせずにしかも納得のいく仕上がりの写真が得られる様に効率のよい写真撮影を行うことが要求されるが、個々のお客さんへのライティング条件を膨大な量のデータベースの中から見つけ出して設定することは時間的な側面からも現実的な対応とは言えない。
【０００７】
この様に、状況に応じてライティング条件の設定を適宜変更して写真撮影が行える様な撮影システムはこれまで構築されておらず、市中の写真スタジオや写真館でユーザを心底満足させる仕上がりの美しいポートレート写真を提供することは難しかった。
【特許文献１】特開２００１−３５０１８２号公報（段落０００８等参照。）
【特許文献２】特開平１１−２４１３８号公報（段落０００８等参照。）
【発明の開示】
【発明が解決しようとする課題】
【０００８】
本発明は、上記課題を鑑みてなされたもので、写真スタジオや写真館における写真撮影を行う際に、その撮影条件に応じてライティング条件の設定を適宜変更しながら撮影を行うことが可能な撮影システムを提供することを目的とするものである。
【０００９】
また、本発明は、例えば、七五三や卒業シーズンの様に被撮影者となるお客さんが集中する様な時期でも生き生きとした表情のポートレート写真を確実に作成することが可能な撮影システムを提供することを目的とする。
【課題を解決するための手段】
【００１０】
本発明者は、撮影を行う直前にスタジオ内の照明環境を検知して、その検知結果をストロボの発光条件を設定する手段にフィードバックさせることにより、撮影を行う状況に応じて随時ライティング条件の設定を行える撮影システムを見出すことを可能にした。すなわち、本発明の課題は以下に記載のいずれかの構成により達成される。
【００１１】
〔１〕  カメラマンにより被写体である人物を撮影する撮影手段と、該撮影手段により撮影を行う際に該被写体に照明を行う照明手段と、撮影時における該照明手段の光量を制御する制御手段と、撮影直前時における撮影環境を検知する検知手段と、を有し、該制御手段は、前記検知手段が検知した撮影環境の情報に基づいて前記照明手段の光量を制御することを特徴とする撮影システム。
【００１２】
上記〔１〕に記載の構成は、人物撮影を行う際のスタジオ内の明るさや使用されている光源の種類などにより形成される撮影環境を検知手段により検知し、その検知結果をストロボの発光を制御する制御手段にフィードバックすることにより、撮影時環境の状況に応じてストロボの発光をはじめとするライティング状態を制御するものである。上記〔１〕に記載の構成によれば、写真スタジオや写真館で写真撮影を行う際に、撮影を行う環境に応じてストロボの発光条件を適宜変更する等の操作が行われ、状況に応じたライティング条件の設定を自動的に行うことが可能になる。その結果、撮影状況に応じたライティング条件下での人物写真の撮影が可能になり、ユーザが満足する様な美しい仕上がりの写真を安定して作成することが可能になった。
【００１３】
とりわけ、上記〔１〕に記載の構成によれば、七五三や卒業シーズンの様に被撮影者となるお客さんが集中する様な状態でも、個々の写真は生き生きとした表情の美しい仕上がりとなった高品質の人物写真を安定して提供することが可能になった。
【００１４】
また、上記〔１〕はカメラマンが撮影手段を操作する構成のものであるが、これは、本発明に係る撮影システムが撮影手段の調整や操作を被写体自身が行うものではないことを意味するものである。すなわち、本発明に係る撮影システムは、撮影手段の調整や操作を被撮影者以外の者が行って撮影が行われるものである。
【００１５】
〔２〕  前記検知手段は、前記撮影手段の作動に同期して前記撮影直前時における撮影環境の検知を行うものであることを特徴とする前記〔１〕に記載の撮影システム。
【００１６】
上記〔２〕によれば、本発明で撮影環境を検知してその状態を撮影システムにフィードバックする検知手段が撮影手段に同期して作動するので、本発明に係る検知手段はカメラの作動に反映して駆動することにより、撮影実施直前の撮影環境を迅速に検知することが可能である。
【００１７】
また、本発明の課題は、以下に記載の写真撮影スタジオや人物写真からも達成することが確認された。
【００１８】
〔３〕  カメラマンにより被写体である人物の写真撮影が行われるものであり、前記〔１〕または〔２〕に記載の撮影システムを有してなることを特徴とする写真撮影スタジオ。
【００１９】
〔４〕  前記〔１〕または〔２〕に記載の撮影システムにより作成されることを特徴とする人物写真。
【００２０】
この様に、本発明は、カメラマンにより人物撮影を行う撮影手段と、撮影手段による撮影時に被写体への照明を行う照明手段と、照明手段の光量を制御する制御手段と、撮影直前時の撮影環境を検知する検知手段とから構成される撮影システムで、前記制御手段が検知手段からの検知情報に基づいて照明手段の光量を制御することにより撮影時の状況に応じてライティング条件の設定を適宜変更することを可能にしている。
【発明の効果】
【００２１】
本発明は、人物撮影を行う際のスタジオ内の明るさや使用されている光源の種類などにより形成される撮影環境を検知手段により検知し、その検知結果をストロボの発光を制御する制御手段にフィードバックすることにより、撮影時環境の状況に応じてストロボの発光をはじめとするライティング状態を制御することを特徴とするものである。本発明に記載の構成によれば、写真スタジオや写真館で写真撮影を行う際に、撮影を行う環境に応じてストロボの発光条件を適宜変更する等の操作が行われ、状況に応じたライティング条件の設定を自動的に行うことが可能になる。その結果、撮影状況に応じたライティング条件下での人物写真の撮影が可能になり、ユーザが満足する様な美しい仕上がりの写真を安定して作成することが可能になった。
【００２２】
とりわけ、七五三や卒業シーズンの様に被撮影者となるお客さんが集中する様な状態でも、個々の写真に対して表情の生き生きとした美しい仕上がりの人物写真が得られる様に撮影時のライティング条件を個々に設定することが可能になった。その結果、写真館をはじめとする高品質の写真を提供する業者での収率を向上させて撮影に伴うコストの低減化を可能にした。
【発明を実施するための最良の形態】
【００２３】
本発明は、カメラマンの様に高度な撮影技術を有する者により人物撮影を行う撮影システムに関するもので、特に、撮影直前にスタジオ内の撮影状態を検知し、その検知結果をストロボの発光量などを制御する制御装置にフィードバックして、撮影時の状態に応じて最良のライティング環境を自動的に設定することが可能な撮影システムに関する。
【００２４】
以下、本発明について詳細に説明する。
【００２５】
最初に、写真撮影スタジオでの撮影について説明する。写真撮影スタジオでは、被写体に対して撮影意図に応じた最適なライティング状態を設定した後、撮影手段であるカメラに同期してストロボライトを閃光させて撮影を行う。図１は、本発明に係る撮影システムが使用可能な写真撮影スタジオにおける撮影状態を示すイメージ図である。
【００２６】
写真撮影スタジオ１には、図１に示す様に被写体Ｈの周囲に照明手段である各種ライト１１（１１ａ〜１１ｅ）が配置されている。写真撮影に使用される具体的なライトとしては、フロントライト、メインライト、バックグラウンドライト、アクセントライト、トップライト、スカイライト等の照明装置が挙げられる。また、図１の写真撮影スタジオ１は後方に背景となるロールスクリーン１２を有するもので、ロールスクリーン１２は状況に応じて上下方向に垂下する。
【００２７】
図１の写真撮影スタジオ１における撮影は、ロールスクリーン１２を背景にしてこれらのライトの位置や各々の出力（調光）を変えて被写体Ｈを撮影する。各種ライト１１は撮影意図に応じて適切なものを選択して撮影に使用することが一般的である。また、これらのライトにストロボ発光用のランプを設け、ストロボライトとしての使用も可能である。
【００２８】
写真撮影スタジオ１では、被写体Ｈに対して最適なライティング状態を形成してから、カメラマン等の撮影者がカメラを操作して撮影を行うもので、図示しないカメラのシャッタが作動すると、これに同期してストロボライトが閃光し、被写体Ｈの撮影が行われる。
【００２９】
次に、本発明に係る撮影システムについて説明する。図２は本発明に係る撮影システムのブロック図で写真撮影スタジオ１を有するものである。
【００３０】
本発明に係る撮影システム２は、被写体Ｈを撮影する撮影手段であるカメラ２１、カメラ２１で撮影を行う際に被写体にライティングを行うストロボライト２５（２５ａ〜２５ｃ）（前述のライト１１と同じ個所に配置してもよい。）、撮影時のストロボライト２５の発光量の制御等写真撮影スタジオ１での写真撮影に使用される各種装置の作動を制御する制御装置２３、撮影直前の撮影環境を検知する検知センサ２４より構成される。図２の撮影システムでは、メインライト２５ａとトップライト２５ｂ、バックグラウンドライト２５ｃが配置され、これらのライトを前述の照明ライト１１として使用していたものに照明用のライトとは別にストロボ発光用のライトを設けたものである。ストロボライト２５は図２に示す様にストロボ電源２７より電力供給を受けて写真撮影時に発光する。
【００３１】
本発明に係る撮影システム２では、カメラマンによる撮影が行われる直前に検知センサ２４が検知した撮影環境に関する情報を情報信号として制御装置２３にフィードバックする様になっている。具体的には、検知センサ２４は撮影直前にカメラマンがカメラのシャッタを押した時、これに同期して撮影環境を検知する。すなわち、図２のカメラ２１のシャッタが押されると制御装置２３にシャッタ信号ＳＳが送信され、制御装置２３を介して検知センサ２４が作動可能になる。
【００３２】
ここで、制御装置２３は、ストロボライト２５やカメラ２１，あるいは検知センサ２４といった撮影システム２を構成する各種部材の作動を制御するもので、具体的にはコンピュータである。コンピュータである制御装置２３は、システムを構成する各装置が円滑に作動する様に実際に制御を行う処理部（ＣＰＵ）２３１と、各種の情報を記憶しておく記憶部（主記憶部、補助記憶部）２３２、情報の入力を行う入力部、処理結果等を表示する表示部から構成される。なお、図２では表示部と入力部は省略してある。
【００３３】
本発明では、例えば、図２に示す様に写真撮影スタジオ１の撮影環境はシャッタ信号ＳＳにより作動開始した検知センサ２４が検知した検知情報ＣＳを環境測定部２８で照度や輝度あるいは色温度といった物理量として測定情報ＤＳに変換し、この測定情報ＤＳを制御装置２３に送信する。制御装置２３では送信された測定情報ＤＳを装置２３内に記憶されている記録情報ＭＳと照合し、記録情報を用いて演算を行う等の処理を行って、適正なストロボ発光条件となる様にストロボ電源２７に電力供給量制御信号ＰＳを送信することでストロボライト２５の発光量を制御する。
【００３４】
制御装置２３の処理部２３１では、撮影環境における測定値である測定信号ＤＳと、メインメモリ等の記憶部２３２に予め記憶しておいた撮影条件に関する記録情報ＭＳとを照合、演算を行って、その時その時の撮影状況に対応した最適なストロボ発光量を算出し、算出した露光量となる様にストロボライト２５の発光量を制御する。ここで、記憶部２３２に予め記録されている情報としては、例えば、撮影直前のスタジオ内の明るさに対応するストロボ発光量に関する情報や、カメラ２１で設定されている絞り値やシャッタ速度に対応するストロボ発光量に関する情報、電子カメラにおける受光素子（ＣＣＤ）性能や銀塩写真カメラにおけるフィルムの感度に対応させたストロボ発光量に関する情報といった種々の撮影条件に対応したストロボ発光に関する情報が予め記録されている。
【００３５】
そして、制御装置２３は、ストロボライト２５がこの様にして決定した適正露光量で発光する様にストロボ電源２７に供給する電力を制御する。この時、制御装置２３からストロボ電源２７に電力制御信号ＰＳが送信され、ストロボライト２５が最適なストロボ発光を行われる様に制御される。
【００３６】
この様に、本発明に係る撮影システム２は、検知センサ２４で検知した撮影直前の撮影スタジオ１内の照明状況を検知し、検知情報を制御装置２３にフィードバックしてストロボライト２５の発光量を当該撮影環境で過不足のない露光量での撮影が行える適正なレベルに調整する工程を経て撮影を行う。したがって、本発明に係る撮影システム２によれば撮影状況に応じた適正な露光量となるストロボ発光が行われるので、ストロボライト２５が露光量オーバーしたり、露光量不足を起こして撮影不良を発生することを回避するとともに、適正な露光量での撮影がいつでも行える。
【００３７】
本発明に係る撮影システムに使用される検知手段は撮影を行う直前のスタジオ内の撮影環境を検知するものである。検知センサ２４で検知することが可能な撮影環境の因子としては、撮影直前のスタジオ内における光度・光束、輝度、照度、色温度などが挙げられ、検知センサ２４はこれらの因子を検知すべく撮影環境における光の情報を検知する。
【００３８】
そして、検知センサ２４より検知された光の情報は、輝度計、分光測色計、照度計などの測定装置を介して解析され、制御装置２３はこれらの測定装置により得られた結果を制御装置に送り、制御装置２３では測定結果を制御装置２３内の記憶部に予め記憶されている前述した撮影条件に関する情報と照合して、その時その時の撮影環境に対応したストロボの発光量を決定し、ストロボ電源２７への電力供給量を制御する。
【００３９】
なお、検知センサ２４で検知した光の情報を測定する測定装置２８を、例えば、照度計と分光測色計、輝度計と照度計、輝度計と分光測色計とを併用して測定を行ってもよい。この様に複数種類の測定装置を組み合わせて使用することにより、検知センサ２４で検知情報に基づく測定信号ＤＳの精度が向上し、より高精度な光量制御を行うことが可能である。
【００４０】
本発明で使用される検知センサ２４は、上述した写真撮影スタジオ１内の明るさや色温度などの撮影環境を検知できるものであれば特に限定されるものではない。具体的には、通常知られている光電センサが挙げられ、光ファイバ式、アンプ分離型、アンプ内蔵型などの光電センサが用いられる。
【００４１】
本発明に使用可能な各種検知センサの具体例としては、例えば、オムロン株式会社のホームページ（ｈｔｔｐ：／／ｗｗｗ．ｆａ．ｏｍｒｏｎ．ｃｏ．ｊｐ／ｓｅｎｓｉｎｇ）やキーエンス株式会社のホームページ（ｈｔｔｐ：／／ｗｗｗ．ｋｅｙｅｎｃｅ．ｃｏ．ｊｐ）に記載のカタログに掲載されているものが挙げられる。
【００４２】
本発明に係る撮影システム２は、撮影直前のスタジオ１内の撮影環境を検知し、その検知結果をフィードバックして撮影を行うスタジオの状態に応じた照明条件を瞬時に設定して撮影を行うもので、撮影直前のスタジオ内の撮影環境を検知し、検知結果とシャッタ速度や絞り値、あるいは感度等のカメラの撮影条件とを組み合わせて、状況に応じたストロボ発光が行える様に写真撮影を行う。
【００４３】
本発明者は、前述の特許文献に記載の様な従来技術による照明条件下で写真撮影を行って得られたプリント写真の仕上がりを評価していた時に、適正露光量から外れた照明条件で撮影されたと見られるプリント写真が意外と多く存在することに着目した。この様な露光不良の写真がスタジオ撮影でも多く発生することは予期せぬことだった。
【００４４】
本発明者は、スタジオ撮影でも露光不良の写真が発生する原因を検討した。その結果、スタジオでの照明条件からベストのストロボ発光条件と設定したものが状況によって露光不良となる場合があるものと推測した。この様に設定した条件が状況により露光不良の状態となる理由は明らかではないが、被写体の服装、髪型、姿勢、背丈、あるいは撮影時の被写体の位置などの要因がベストと見たライティング状態から微妙に逸脱し、設定したストロボ発光量では十分な露光量が得られなくなるためと推測される。
【００４５】
本発明者は、撮影を行うまさにその直前の撮影環境を確認し、現実の撮影環境に即応したストロボ発光条件を設定するために、検知した状態を制御装置２３にフィードバックしてストロボライト２５の発光量を撮影実施直前の照明環境に適したものに調整してから撮影を行うことを考えて本発明を見出したのである。
【００４６】
この様に、本発明によれば、撮影直前の撮影環境を把握してストロボ発光量を調整することが可能になったので、スタジオにおいて露光量不足のない照明条件で写真撮影を行える様になり、被撮影者が満足する適正露光での美しい仕上がりの写真プリントを安定して提供することが可能になった。とりわけ、七五三や卒業シーズンの様な被撮影者が大挙して撮影を希望する様な時期でも、個々の写真は常に適正な露光条件下で撮影されるので、表情の生き生きとした美しい仕上がりの人物写真を安定して得られる。また、撮影担当のカメラマンも様々な服装や髪型のお客が来る状態にありながら１人１人の顧客にあわせたライティング条件を細かく設定する手間が省けるので、撮影時の作業効率を大幅に向上させることが可能になる。
【００４７】
次に、本発明に係る撮影システムで行われる撮影手順について説明する。図３は本発明に係る撮影システムにおける撮影のフロー図である。
【００４８】
先ず、写真撮影スタジオ１での撮影環境のレイアウト設定を行う。（ステップＳ１）。すなわち、写真撮影スタジオ１内に各種ライティング装置を配置したり、背景画像であるロールスクリーン１２を選択してレイアウト設定を行う。
【００４９】
撮影環境のレイアウトを設定後、カメラ２１の撮影条件を設定する。（ステップＳ２）。本発明では、カメラ２１の撮影条件としては、前述した様にシャッタ速度や絞り値、電子カメラにおける受光素子（ＣＣＤ）や銀塩カメラにおけるフィルム感材の感度といったものが挙げられ、本発明ではカメラ２１に設定したこれらの撮影条件をカメラ信号として制御装置２３の記憶部２３２に記憶させておいてもよい。
【００５０】
次に、被写体Ｈをスタジオ内に配置させて撮影直前の調整作業を行う。（ステップＳ３）。ここは、スタジオ内の被写体Ｈがよい表情で撮影される様にカメラの撮影条件を再度調整する段階で、シャッタを押せばストロボライト２５が同期して発光する状態にするものである。
【００５１】
カメラマンがカメラ２１のシャッタを押すと（ステップＳ４）、カメラ２１よりシャッタ信号が制御装置２３に送信されて検知センサ２４が作動する。そして、検知センサ２４の検知結果に基づいて写真撮影スタジオ１内の撮影環境に対して適正なストロボ発光が行われるか否かが判定される。（ステップＳ５）。この段階でも設定した撮影環境や撮影条件を制御装置２３の記憶部に記録してもよい。制御装置２３が、スタジオ内が既に適正なストロボ発光が行える状態にあると判断した場合（ステップＳ５のＹｅｓ）は、ストロボライト２５が作動して撮影が行われる。（ステップＳ６）。
【００５２】
また、制御装置２３がスタジオ内の撮影環境に対して適正なストロボ発光が行われないものと判断した場合（ステップＳ５のＮｏ）、制御装置２３は検知センサ２４からの情報に基づき、ストロボライト２５が状況に対応した適正なストロボ発光が行える様に発光条件の設定を行う。（ステップＳ７）。設定を行った後、再度適正なストロボ発光が行えるかどうかを確認（ステップＳ５）し、適正な露光が行えると判断した時に（ステップＳ５のＹｅｓ）ストロボライト２５が作動して撮影が行われる。（ステップＳ６）。
【００５３】
以上の工程を経て、本発明に係る撮影システムによる人物撮影が行い、撮影を終了する。この様に、本発明によれば、撮影直前の撮影環境を検知することにより、適正な露光条件下での人物写真撮影を行うことが可能である。
【図面の簡単な説明】
【００５４】
【図１】写真撮影スタジオにおける撮影状態を示すイメージ図である。
【図２】本発明に係る撮影システムを示すブロック図である。
【図３】本発明に係る撮影システムによる撮影手順のフロー図である。
【符号の説明】
【００５５】
１  写真撮影スタジオ
１１（１１ａ〜１１ｅ）  照明装置
１２  ロールスクリーン
２  撮影システム
２１  撮影手段（カメラ）
２３  制御装置（コンピュータ）
２４  検知センサ
２５（２５ａ〜２５ｃ）  ストロボライト
２７  ストロボ電源
２８  環境測定部
Ｈ  被写体
ＣＳ  検知信号
ＤＳ  測定信号
ＭＳ  記録信号
ＰＳ  電力制御信号
ＳＳ  シャッタ信号
【図１】
2005301096.tif 000003
【図２】
2005301096.tif 000004
【図３】
2005301096.tif 000005